(57)【特許請求の範囲】
【請求項１】
液晶表示体の縦又は横方向の長さを複数個に分割した長さのくさび型導光板と、前記くさび型導光板の前記液晶表示体と反対側に配置される反射シートと、前記くさび型導光板の入光面側に配置される光源と、前記光源を包み前記くさび型導光板の入光面幅よりも開口面が小さい金属反射板ａと、前記くさび型導光板の入光面と前記金属反射板ａと前記反射シートとを内側に配置する金属反射板ｂと、前記金属反射板ａと前記金属反射板ｂとの間に配置される前記光源のリード線と、前記くさび型導光板と前記反射シートと前記光源と前記リード線と前記金属反射板ａと前記金属反射板ｂとで構成される導光板ブロックが複数個取付けられ、取付けられた複数個の前記導光板ブロックに沿った形状の波型形状フレームとを有しており、前記反射シートはマット状の銀コーティングされ、前記くさび型導光板の入光面より前記光源側に飛び出しており、前記くさび型導光板の面に対応する部分は銀コーティングされ、前記くさび型導光板の入光面よりも前記光源側に飛び出している部分は白色反射シートである液晶表示体バックライト構造体。
【請求項２】
液晶表示体の縦又は横方向の長さを複数個に分割した長さのくさび型導光板と、前記くさび型導光板の液晶表示体と反対側に配置される反射シートと、前記くさび型導光板の入光面側に配置される光源と、前記くさび型導光板の入光面と前記光源と前記反射シートとを内側に配置する金属反射板と、前記くさび型導光板と前記反射シートと前記光源と前記金属反射板とで構成される導光板ブロックが複数個取付けられ、取付けられた複数個の前記導光板ブロックに沿った形状の波型形状フレームとを有し、前記導光板ブロックと前記波型形状フレームとの間に前記光源のリード線が配置されており、前記反射シートはマット状の銀コーティングされ、前記くさび型導光板の入光面より前記光源側に飛び出しており、前記くさび型導光板の面に対応する部分は銀コーティングされ、前記くさび型導光板の入光面よりも前記光源側に飛び出している部分は白色反射シートである液晶表示体バックライト構造体。
【請求項３】
液晶表示体の縦又は横方向の長さを複数個に分割した長さのくさび型導光板と、前記くさび型導光板の液晶表示体と反対側に配置される反射シートと、前記くさび型導光板の入光面側に配置される光源と、前記光源のリード線と、前記くさび型導光板の入光面と前記光源と前記リード線と前記反射シートとを内側に配置する金属反射板と、前記くさび型導光板と前記反射シートと前記光源と前記リード線と前記金属反射板とで構成される導光板ブロックが複数個取付けられ、取付けられた複数個の前記導光板ブロックに沿った形状の波型形状フレームとを有しており、前記反射シートはマット状の銀コーティングされ、前記くさび型導光板の入光面より前記光源側に飛び出しており、前記くさび型導光板の面に対応する部分は銀コーティングされ、前記くさび型導光板の入光面よりも前記光源側に飛び出している部分は白色反射シートである液晶表示体バックライト構造体。
【発明の詳細な説明】
【０００１】
【発明の属する技術分野】
本発明は、液晶表示体装置のバックライト構造の高輝度化に関するものである。
【０００２】
【従来の技術】
従来、パーソナルコンピュータ等に使用されていた液晶表示体バックライト構造では、表示体画面とほぼ同一面積を有した導光板を使用していた。
【０００３】
以下、従来の液晶表示体バックライト構造について図６を用いて説明する。
【０００４】
図６は、液晶表示体バックライト構造の斜視図である。
【０００５】
図６において、１１は液晶表示体、１２は液晶表示体１１とほぼ同一面積である導光板、１３は導光板１２とほぼ同一面積である反射シート、１４は導光板１２の入光面に配置される光源、１５は光源１４を包括する金属反射板である。
【０００６】
【発明が解決しようとする課題】
上記従来の液晶表示体バックライト構造では、輝度を向上させようとした場合、光源１４を明るくする以外に方法は無かった。光源１４を１本使用した場合、その輝度は１２０ｃｄ〜２５０ｃｄ程度である。
【０００７】
しかしながら、近年、アウトドアで使用される液晶表示体を有した電子機器
、例えば、ビデオムービーやデジタルカメラ、携帯電話等の普及が著しい。
【０００８】
また、カーナビゲーション等も普及しつつある。
【０００９】
こういった外光が強いところでの使用においては、外光に液晶表示体の明るさが負けてしまって画面が見難いといった問題があった。
【００１０】
本発明は、液晶表示体バックライト構造において、高輝度化を可能にすることを目的とする。
【００１１】
【課題を解決するための手段】
上記課題を解決するために本発明の液晶表示体バックライト構造体は、液晶表示体の縦又は横方向の長さを複数個に分割した長さのくさび型導光板と、前記くさび型導光板の前記液晶表示体と反対側に配置される反射シートと、前記くさび型導光板の入光面側に配置される光源と、前記光源を包み前記くさび型導光板の入光面幅よりも開口面が小さい金属反射板ａと、前記くさび型導光板の入光面と前記金属反射板ａと前記反射シートとを内側に配置する金属反射板ｂと、前記金属反射板ａと前記金属反射板ｂとの間に配置される前記光源のリード線と、前記くさび型導光板と前記反射シートと前記光源と前記リード線と前記金属反射板ａと前記金属反射板ｂとで構成される導光板ブロックが複数個取付けられ、取付けられた複数個の前記導光板ブロックに沿った形状の波型形状フレームとを有しており、前記反射シートはマット状の銀コーティングされ、前記くさび型導光板の入光面より前記光源側に飛び出しており、前記くさび型導光板の面に対応する部分は銀コーティングされ、前記くさび型導光板の入光面よりも前記光源側に飛び出している部分は白色反射シートであるものである。
【００１２】
【発明の実施の形態】
請求項１記載の発明は、液晶表示体の縦又は横方向の長さを複数個に分割した長さのくさび型導光板と、くさび型導光板の液晶表示体と反対側に配置される反射シートと、くさび型導光板の入光面側に配置される光源と、光源を包みくさび型導光板の入光面幅よりも開口面が小さい金属反射板ａと、くさび型導光板の入光面と金属反射板ａと反射シートとを内側に配置する金属反射板ｂと、金属反射板ａと金属反射板ｂとの間に配置される光源のリード線と、くさび型導光板と反射シートと光源とリード線と金属反射板ａと金属反射板ｂとで構成される導光板ブロックが複数個取付けられ、取付けられた複数個の導光板ブロックに沿った形状の波型形状フレームとを有しており、前記反射シートはマット状の銀コーティングされて、くさび型導光板の入光面より光源側に飛び出しており、くさび型導光板の面に対応する部分は銀コーティングされ、くさび型導光板の入光面よりも光源側に飛び出している部分は白色反射シートである液晶表示体バックライト構造体であり、光源の効率を最もロス無く活用できると共に、銀コーティングの表面がマット状であるため、光源から発せられくさび型導光板に入光した光が反射シート側に出光した光がマット状になっている銀コーティング面で乱反射され輝度の向上が図れ、金属反射板とくさび型導光板との境界の隙間から漏れてしまう光が反射シートの白色反射シート部分で反射させてくさび型導光板に入光されるために輝度の向上が図れる。
【００１３】
請求項２記載の発明は、液晶表示体の縦又は横方向の長さを複数個に分割した長さのくさび型導光板と、くさび型導光板の液晶表示体と反対側に配置される反射シートと、くさび型導光板の入光面側に配置される光源と、くさび型導光板の入光面と光源と反射シートを内側に配置する金属反射板と、くさび型導光板と反射シートと光源と金属反射板とで構成される導光板ブロックが複数個取付けられ、取付けられた複数個の導光板ブロックに沿った形状の波型形状フレームとを有し、導光板ブロックと波型形状フレームとの間に光源のリード線が配置されており、反射シートはマット状の銀コーティングされ、くさび型導光板の入光面より光源側に飛び出しており、くさび型導光板の面に対応する部分は銀コーティングされ、くさび型導光板の入光面よりも光源側に飛び出している部分は白色反射シートである液晶表示体バックライト構造体であり、光源から発せられ、くさび型導光板に入光し反射シート側に出光した光が、反射シートの銀コーティングのマット状表面で乱反射されることで輝度の向上が図れ、複数個の導光板ブロックを波型形状フレームに容易に並べて組立てでき、金属反射板とくさび型導光板との境界の隙間から漏れてしまう光が反射シートの白色反射シート部分で反射させてくさび型導光板に入光されるために輝度の向上が図れる。
【００１４】
請求項３記載の発明は、液晶表示体の縦又は横方向の長さを複数個に分割した長さのくさび型導光板と、くさび型導光板の液晶表示体と反対側に配置される反射シートと、くさび型導光板の入光面側に配置される光源と、光源のリード線と、くさび型導光板の入光面と光源とリード線と反射シートとを内側に配置する金属反射板と、くさび型導光板と反射シートと光源とリード線と金属反射板とで構成される導光板ブロックが複数個取付けられ、取付けられた複数個の導光板ブロックに沿った形状の波型形状フレームとを有しており、反射シートはマット状の銀コーティングされ、くさび型導光板の入光面より光源側に飛び出しており、くさび型導光板の面に対応する部分は銀コーティングされ、くさび型導光板の入光面よりも光源側に飛び出している部分は白色反射シートである液晶表示体バックライト構造体であり、光源から発せられ、くさび型導光板に入光し反射シート側に出光した光が、反射シートの銀コーティングのマット状表面で乱反射されることで輝度の向上が図れ、複数個の導光板ブロックを波型形状フレームに容易に並べて組立てでき、かつ、光源を液晶表示体バックライト構造体を側面から挿抜できることで分解・組立の作業効率の向上が図れ、金属反射板とくさび型導光板との境界の隙間から漏れてしまう光が反射シートの白色反射シート部分で反射させてくさび型導光板に入光されるために輝度の向上が図れる。
【００１５】
以下、本発明の実施の形態について図１〜５を用いて説明する。
【００１６】
（実施の形態１）
図１は、本実施の形態における液晶表示体バックライト構造を示す断面図である。
【００１７】
図１において、１は液晶表示体、２は液晶表示体１の画面に対して縦方向又は横方向に複数個分割した長さを有するくさび型導光板、３はくさび型導光板２の液晶表示体１と反対側に配置される反射シート、４はくさび型導光板２の入光面側に配置される光源、５は光源４を包みくさび型導光板２の入光面の幅よりも開口面が小さい金属反射板ａ、６は金属反射板ａ５を包みくさび型導光板２の入光面幅よりも広くくさび型導光板２に配置された反射シート３も内側に配置する金属反射板ｂ、４ａは金属反射板ａ５と金属反射板ｂ６との間にくさび型導光板２の入光面と反対側に配置される光源４のリード線、７はくさび型導光板２、反射シート３、光源４、金属反射板ａ５、金属反射板ｂ６から成る導光板ブロックを複数個取付けられるくさび型導光板の形状に沿った形状の波型形状フレームである。
【００１８】
図２は、本実施の形態における液晶表示体バックライト構造の反射シート３を示す平面図である。
【００１９】
反射シート３は、くさび型導光板２の長手方向の両端付近２箇所で固定部材３ａで固定・保持されている。
【００２０】
また、反射シート３は、くさび型導光板２の入光面より光源４側に飛び出しており、その飛び出し量は金属反射板ａ５の開口部端面とくさび型導光板２の入光面との隙間区間以上の十分長いものである。
【００２１】
また、反射シート３は、くさび型導光板２の面に対応する部分が銀コーティング３ｂされており、くさび型導光板２の入光面よりも光源４側に飛び出している部分は白色の反射シート３ｃになっている。
【００２２】
なお、銀コーティング３ｂの表面は平滑な鏡面ではなく、１０μｍから５０μｍの凹凸の有るマット状になっている。
【００２３】
図３は、ユニット化された光源４の断面図である。
【００２４】
図３において、４ｂおよび４ｃは光源４の両端部分にあり金属反射板ａ５で挟んで保持されるゴム部材ａおよびゴム部材ｂである。
【００２５】
以上のように構成された液晶表示体バックライト構造において、光源４から発せられた光はくさび型導光板２の入光面より入るが、くさび型導光板２の反対側に発せられた光は金属反射板ａ５により反射してくさび型導光板２の入光面よりくさび型導光板２内に入る為、光源４の発した光が損失をすることなく、効率良く入り、かつ入光面から入った光が、反射シート３のマット状の部分で乱反射して、再度くさび型導光板２内に効率良く入る。
【００２６】
さらに、液晶表示体１の画面に対して縦方向又は横方向に複数個に分割して導光板ブロックを形成する為、光源４の数により異なるが輝度が３００ｃｄ〜１３００ｃｄの輝度を達成することができる。
【００２７】
また、反射シート３がくさび型導光板２に固定されていることにより、金属反射板ａ５に挿入する際にも、反射シート３はくさび型導光板２との位置が変化せず一定になって挿入しやすくなっている。
【００２８】
また、くさび型導光板２は金属反射板ａ５に挿入されることで、波型形状フレーム７に安定して挿入可能である。
【００２９】
また、光源４を金属反射板ｂ６とユニット化することにより、液晶表示体バックライトブロックの横方向又は縦方向の複数個の光源４の組立てが容易となる。
【００３０】
さらに、液晶表示体バックライトブロックの側面方向からの複数個の光源４の交換が容易になる。
【００３１】
さらに、光源４と金属反射板ａ５との距離が一定となって、安定した輝度を常に確保できる。
【００３２】
さらに、金属反射板ｂ６で光源４を包括することで、光源４を挿入する際の光源４の破損を減少することもできる。
【００３３】
（実施の形態２）
図４は、本実施の形態の液晶表示体バックライトブロック構造を示す断面図である。
【００３４】
図４において、第１の実施の形態と同じものは、同一の番号を付し説明を省略する。
【００３５】
図４において、第１の実施の形態と異なるところは、金属反射板ａ５を無くして光源４のリード線４ａを金属反射板ｂ６の外側に配置させたことである。
【００３６】
以上のように構成された液晶表示体バックライト構造において、光源４を交換しない仕様の液晶表示体の場合、組立性が第１の実施の形態の液晶表示体バックライト構造よりも向上し、量産性が３０％程度向上する。
【００３７】
また、部品点数も削減できることより、製造コストも削減できる。
【００３８】
（実施の形態３）
図５は、本実施の形態の液晶表示体バックライトブロック構造を示す断面図である。
【００３９】
図５において、第１の実施の形態と同じものは、同一の番号を付し説明を省略する。
【００４０】
図５において、第２の実施の形態と異なるところは、光源４のリード線４ａを光源４と金属反射板ｂ６との間に配置させたことである。
【００４１】
以上のように構成された液晶表示体バックライト構造において、光源４を交換する仕様の液晶表示体の場合、光源４が液晶表示体バックライト構造の側面方向より挿抜できることで光源４の交換性が第２の実施の形態の液晶表示体バックライト構造より向上し、サービス性が５０％程度向上する。
【００４２】
【発明の効果】
以上のように、本発明によれば、液晶表示体バックライト構造をくさび型導光板と反射シート、光源、金属反射板ａ、金属反射板ｂから成る導光板ブロックを縦方向又は横方向に複数個取付けられる様にすることで、個数分の輝度が向上される。
【００４３】
また、液晶表示体バックライトブロックの側面方向から複数個の光源の組立てや交換が容易にできるため、作業効率の向上、及び、サービス性の向上が図れる。
【図面の簡単な説明】
【図１】  本発明の第１の実施の形態における液晶表示体バックライト構造の断面図
【図２】  本発明の第１の実施の形態における液晶表示体バックライト構造の反射シートの平面図
【図３】  本発明の第１の実施の形態における液晶表示体バックライト構造の光源ユニットの断面図
【図４】  本発明の第２の実施の形態における液晶表示体バックライト構造の断面図
【図５】  本発明の第３の実施の形態における液晶表示体バックライト構造の断面図
【図６】  従来の液晶表示体バックライト構造の断面図
【符号の説明】
１  液晶表示体
２  くさび型導光板
３  反射シート
４  光源
４ａ  リード線
５  金属反射板ａ
６  金属反射板ｂ
７  波型形状フレーム
【図１】
0004549502.tif 000002
【図２】
0004549502.tif 000003
【図３】
0004549502.tif 000004
【図４】
0004549502.tif 000005
【図５】
0004549502.tif 000006
【図６】
0004549502.tif 000007